(57)【要約】【課題】  他局番組の現時点の放送内容を確認しながら選局することのできる携帯端末を得る。【解決手段】  複数の放送チャンネルのテレビ放送を受信可能なテレビ受信部、このテレビ受信部の受信している任意の上記放送チャンネルの上記テレビ放送の映像を表示する自局番組表示部、上記テレビ受信部の受信する複数の上記放送チャンネルの上記テレビ放送の映像それぞれを画面分割して表示する他局番組表示部、及び異なる上記放送チャンネルの上記テレビ放送を所定の間隔で受信させ上記他局番組表示部の該当画面に順次表示する制御部を備えた。【選択図】          図２
2008079086.tif 000002
【特許請求の範囲】
【請求項１】
複数の放送チャンネルのテレビ放送を受信可能なテレビ受信部、
このテレビ受信部の受信している任意の上記放送チャンネルの上記テレビ放送の映像を表示する自局番組表示部、
上記テレビ受信部の受信する複数の上記放送チャンネルの上記テレビ放送の映像それぞれを画面分割して表示する他局番組表示部、
及び異なる上記放送チャンネルの上記テレビ放送を所定の間隔で受信させ上記他局番組表示部の該当画面に順次表示する制御部を備えたことを特徴とする携帯端末。
【請求項２】
他局番組表示部はタッチパネルディスプレイであり、
制御部は、分割された各画面に触れられることに応じて、自局番組表示部に表示するテレビ放送を触れられた上記画面に表示していた放送チャンネルのテレビ放送に切り替えることを特徴とする請求項１記載の携帯端末。
【発明の詳細な説明】
【技術分野】
【０００１】
この発明は、テレビ放送の受信可能な携帯端末に関する。
【背景技術】
【０００２】
従来技術として、携帯電話に装備されているダイヤルプッシュボタンをテレビ番組の選局に用いる構成とすることで、効率よい他チャンネルのテレビ番組情報を得ることを可能にするテレビ受信機一体型携帯電話装置がある（例えば、特許文献１参照）。
【０００３】
【特許文献１】特開２００５−４５３５０号公報（第７−１４頁、図２）
【発明の開示】
【発明が解決しようとする課題】
【０００４】
特許文献１においては、ユーザは他局番組の現時点の放送内容を視聴することができないので、他局を選ぶのが難しいという問題点があった。
【０００５】
この発明は、上記のような問題点を解消するためになされたもので、他局番組の現時点の放送内容を確認しながら選局することのできる携帯端末を得ることを目的とするものである。
【課題を解決するための手段】
【０００６】
この発明に係る携帯端末は、複数の放送チャンネルのテレビ放送を受信可能なテレビ受信部、このテレビ受信部の受信している任意の上記放送チャンネルの上記テレビ放送の映像を表示する自局番組表示部、上記テレビ受信部の受信する複数の上記放送チャンネルの上記テレビ放送の映像それぞれを画面分割して表示する他局番組表示部、及び異なる上記放送チャンネルの上記テレビ放送を所定の間隔で受信させ上記他局番組表示部の該当画面に順次表示する制御部を備えたものである。
【発明の効果】
【０００７】
この発明に係る携帯端末は、任意の放送チャンネルのテレビ放送の映像をメイン表示部に表示し、異なる放送チャンネルのテレビ放送の映像を所定の間隔で受信して他局番組表示部の該当画面に順次表示するようにしたので、テレビ放送を視聴しながら他局番組の現時点の放送内容を確認することができ、他局番組表示部に視聴したい場面が映ったらその視聴したい場面を放送している放送チャンネルのテレビ放送の映像をメイン表示部に切り替えて表示することができる効果がある。
【発明を実施するための最良の形態】
【０００８】
実施の形態１．
図１は携帯端末の動作を示す概略図であり、筐体１及び筐体２が開閉可能にスライドし、スライドを閉じたときには筐体２の上に筐体１が重なるよう構成されている。筐体１にはＬＣＤで構成される自局番組表示部３が実装され、筐体２には他局番組表示部４が実装されている。自局番組表示部３は筐体の開閉いずれの状態でも視認可能であるが、他局番組表示部４は筐体が閉じられたときには、筐体１に隠れて視認できないようになっている。また、筐体１には操作部５が実装されており、筐体２には他局番組表示部４がタッチパネル６で構成されて操作可能になっている。
図１（ａ）において、自局番組表示部３に現在視聴中のテレビ放送の映像を自局番組として表示し、他局番組表示部４に受信可能な複数のテレビ放送の映像を他局番組としてサムネイル形式で表示している。
図１（ｂ）において、ユーザが他局番組の１つを選択すると、図１（ｃ）のように、ユーザによって押下された位置に表示していたテレビ放送の映像が自局番組として自局番組表示部３に表示され、自局番組として自局番組表示部３に表示していたテレビ放送の映像が他局番組として他局番組表示部４の１つに表示される。
【０００９】
図２は実施の形態１に係る携帯端末のブロック構成図である。図において、ユーザが操作部５を操作して視聴したい放送チャンネルのテレビ放送を選択すると、制御部７は自局用チューナー８を介してユーザの選択した放送チャンネルのテレビ放送を受信させ、その映像を自局番組として自局番組表示部３に表示させて、スピーカ（図示せず）から音声を出力させる。
【００１０】
また、他局番組表示部４は複数のデバイスで構成されており、全てのデバイスに対してタッチパネル６が実装されている。そして、自局番組の表示とともに、制御部７は、他局用チューナー９を介して自局番組表示部３に表示しているテレビ番組とは異なるテレビ番組の放送チャンネルのテレビ放送を順次受信させ、その映像を他局番組として他局番組表示部４のそれぞれのデバイスに順次表示させる。
【００１１】
次に、実施の形態１に係る携帯端末において、他局番組表示部４に表示されている他局番組の中から選択して自局番組として自局番組表示部３に表示するときの動作を図３のフローチャートを用いて説明する。
【００１２】
まず、ユーザが操作部５を操作してＴＶ放送表示用のアプリケーションを起動させると、制御部７は自局用チューナー８及び他局用チューナー９を起動する（ＳＴ３−１）。
制御部７は、局情報記憶部１１から前回記憶していた自局用の放送チャンネルのチャンネル情報を読み出して（ＳＴ３−２）、読み出したチャンネル情報を自局用チューナー８に受け渡す。自局用チューナー８は受け渡されたチャンネル情報に基づく放送チャンネルのテレビ放送を受信し、受信した映像を自局番組表示部３で表示する（ＳＴ３−３）。
【００１３】
次に、チューナー切替制御部１０は所定時間ごとに、各放送チャンネルを切り替えるよう他局用チューナー９に指示し、他局用チューナー９によって放送チャンネルが切り替えられる度に、他局番組表示部４のデバイスの１つに、受信しているテレビ放送の映像を動画表示し、次の放送チャンネルに切り替わると動画表示していたデバイスの動画表示を停止し静止画として表示する。新たに受信した放送チャンネルは他局番組表示部４の次のデバイスにテレビ放送の映像を動画表示する。制御部７は、各デバイスに対応する他局番組の放送チャンネルのチャンネル情報を局情報記憶部１１に記憶する。
この一連の処理を全てのデバイスで繰り返し、全デバイスによるテレビ放送の映像表示が終了したら、最初のデバイスに戻って処理を繰り返すことにより、他局番組表示部４に他局番組をサムネイル形式で表示する（ＳＴ３−４）。
【００１４】
次に、ユーザが、他局番組表示部４の他局番組を表示しているデバイスの１つを、タッチパネル６を介して押下すると（ＳＴ３−５）、制御部７は、押下されたデバイスに対応する他局番組の放送チャンネルのチャンネル情報と、自局番組表示部３に表示中の自局番組の放送チャンネルのチャンネル情報とを局情報記憶部１１から読み出す（ＳＴ３−６）。
制御部７は、押下されたデバイスに対応する他局番組のチャンネル情報を自局番組として局情報記憶部１１に記憶し、自局番組として自局番組表示部３で表示していた放送チャンネルのチャンネル情報を他局番組の１つとして局情報記憶部１１に記憶する（ＳＴ３−７）。
制御部７が、局情報記憶部１１に新たに自局番組として記憶した放送チャンネルのチャンネル情報を自局用チューナー８に指示すると、自局用チューナー８は指示されたチャンネル情報に基づく放送チャンネルのテレビ放送を受信して、受信した映像を自局番組表示部３に表示する（ＳＴ３−８）。また、制御部７が、ＳＴ３−７で局情報記憶部１１に新たに他局番号として記憶した放送チャンネルのチャンネル情報を他局用チューナー９に指示すると、他局用チューナー９は指示されたチャンネル情報に基づく放送チャンネルのテレビ放送を受信して、ユーザが押下した他局番組表示部４のデバイスに割り当てて表示して（ＳＴ３−９）、処理を終了する。
【００１５】
次に、図３のフローチャートのＳＴ３−４の他局番組表示の動作を、図４を用いて説明する。図５は、図４のフローチャートの流れに沿って、他局番組表示部４に表示される他局番組の表示画面遷移を示す図である。
【００１６】
まず、制御部７がチューナー切替制御部１０を起動すると（ＳＴ４−１）、チューナー切替制御部１０は受信した映像が少なくとも静止画として表示できる程度の短い時間間隔で、各放送チャンネルを切り替えるよう他局用チューナー９に指示する（ＳＴ４−２）。
【００１７】
そして、他局用チューナー９によって放送チャンネルが切り替えられる度に、他局番組表示部４のデバイスの１つに、受信したテレビ放送の映像の一画面を静止画として表示する。新たに受信した放送チャンネルは他局番組表示部４の次のデバイスに、新たに受信したテレビ放送の映像の一画面を静止画として表示する。制御部７は、各デバイスに対応する他局番組の放送チャンネルのチャンネル情報を局情報記憶部１１に記憶する（ＳＴ４−３）。この一連の処理を全てのデバイスで繰り返すことにより、全てのデバイスに各放送チャンネルのテレビ放送が静止画で表示される。
【００１８】
次に、チューナー切替制御部１０は最も放送チャンネルの値が小さい放送チャンネルに他局用チューナー９を割り当てる。他局用チューナー９に割り当てられた放送チャンネルに対応する他局番組表示部４のデバイスに、受信しているテレビ放送の映像を動画表示する（ＳＴ４−４）。
その他の他局番組表示部４のデバイスには、表示中の静止画像を継続して表示する（ＳＴ４−５）。
【００１９】
ここで、ユーザが操作部５を操作してＴＶ放送表示用のアプリケーションを終了させると（ＳＴ４−６）、制御部７は、自局用チューナー８及び他局用チューナー９によるテレビ放送の受信動作を終了させ、自局番組表示部３に表示中の自局番組、他局番組表示部４に表示中の他局番組の表示を全て終了させる。
【００２０】
ＳＴ４−６で、ＴＶ放送表示用のアプリケーションが終了されていなければ、チューナー切替制御部１０は所定時間が経過したか判断し（ＳＴ４−７）、所定時間が経過していなければＳＴ４−６に戻る。
所定時間が経過していれば、チューナー切替制御部１０は次に大きな値の放送チャンネルに切り替える。最も大きい値の放送チャンネルを受信していた場合は最も小さい値の放送チャンネルに切り替えるよう他局用チューナー９に指示する。他局用チューナー９によって放送チャンネルが切り替わると、受信していた他局番組表示部４のデバイスの次のデバイスにテレビ放送の映像を動画表示し（ＳＴ４−８）、受信していた他局番組表示部４のデバイスの動画表示を停止し静止画として表示し、ＳＴ４−５に戻る。
【００２１】
このＳＴ４−５からＳＴ４−８までの処理を、ユーザが操作部５を操作してＴＶ放送表示用のアプリケーションを終了させるまで繰り返す。
【００２２】
このように、自局番組表示部３で自局番組を表示させ他局番組表示部４で複数の他局番組の最新映像を表示するようにしたので、ユーザは他局番組の最新映像を参照しながら容易に他局番組を選局することができる。しかも、自局番組の視聴を妨げることもない。
【００２３】
また、自局番組と複数の他局番組を別画面にて表示するようにしたので、携帯電話のような表示可能な画面の面積が小さな携帯端末であっても、ユーザによるテレビ放送の視認性を低下させることなく、他局番組を選局することができる。
【００２４】
実施の形態２．
実施の形態１では、受信中以外の他局番組の表示は、直前に表示していた動画の中の１場面を静止画として表示したが、実施の形態２では、直前に表示していた動画をループ再生して表示する。
以下、実施の形態２に係る他局番組の表示動作を、図６を用いて説明する。
【００２５】
まず、ＳＴ６−１〜ＳＴ６−５の動作は、実施の形態１のＳＴ４−１〜ＳＴ４−５の動作と同様である。
【００２６】
次に、ユーザが操作部５を操作してＴＶ放送表示用のアプリケーションを終了させると（ＳＴ６−６）、制御部７は、自局用チューナー８及び他局用チューナー９によるテレビ放送の受信動作を終了させ、自局番組表示部３に表示中の自局番組、他局番組表示部４に表示中の他局番組の表示を全て終了させる。
【００２７】
ＳＴ６−６で、ＴＶ放送表示用のアプリケーションが終了されていなければ、チューナー切替制御部１０は所定時間が経過したか判断し（ＳＴ６−７）、所定時間が経過していなければＳＴ６−６に戻る。
所定時間が経過していれば、チューナー切替制御部１０は次に大きな値の放送チャンネルに切り替える。最も大きい値の放送チャンネルを受信していた場合は最も小さい値の放送チャンネルに切り替えるよう他局用チューナー９に指示する。他局用チューナー９によって放送チャンネルが切り替わると、受信していた他局番組表示部４のデバイスの次のデバイスにテレビ放送の映像を動画表示し（ＳＴ６−８）、受信していた他局番組表示部４のデバイスの動画表示を停止し、表示していた最新の映像の所定時間分の動画表示をループ再生して表示し（ＳＴ６−９）、ＳＴ６−６に戻る。
【００２８】
このＳＴ６−６からＳＴ６−９までの処理を、ユーザが操作部５を操作してＴＶ放送表示用のアプリケーションを終了させるまで繰り返す。
【００２９】
上記実施の形態１及び２では、タッチパネル６を押下することですぐに他局番組を選局するようにしたが、例えばタッチパネル６の１回目の押下で他局番組を他局番組表示部４で動画表示するようにし、２回目の押下で選局が確定し自局番組表示部３に表示するようにしてもよい。
【００３０】
実施の形態３．
実施の形態３では、全ての他局番組を静止画で表示するようにする。
以下、実施の形態３に係る他局番組の表示動作を、図７を用いて説明する。
【００３１】
まず、ＳＴ７−１〜ＳＴ７−２の動作は、実施の形態１のＳＴ４−１〜ＳＴ４−２の動作と同様である。
【００３２】
次に、他局用チューナー９によって放送チャンネルが切り替えられる度に、他局番組表示部４のデバイスの１つに、受信したテレビ放送の映像の一画面を静止画として表示する。新たに受信した放送チャンネルは他局番組表示部４の次のデバイスに、新たに受信したテレビ放送の映像の一画面を静止画として表示する。制御部７は、各デバイスに対応する他局番組の放送チャンネルのチャンネル情報を局情報記憶部１１に記憶する（ＳＴ７−３）。
【００３３】
ここで、ユーザが操作部５を操作してＴＶ放送表示用のアプリケーションを終了させると（ＳＴ７−４）、制御部７は、自局用チューナー８及び他局用チューナー９によるテレビ放送の受信動作を終了させ、自局番組表示部３に表示中の自局番組、他局番組表示部４に表示中の他局番組の表示を全て終了させる。
【００３４】
ＳＴ７−４で、ＴＶ放送表示用のアプリケーションが終了されていなければ、チューナー切替制御部１０は所定時間が経過したか判断し（ＳＴ７−５）、所定時間が経過していなければＳＴ７−４に戻る。
そして、所定時間が経過していれば、ＳＴ７−３に戻る。
【００３５】
このＳＴ７−３からＳＴ７−５までの処理を、ユーザが操作部５を操作してＴＶ放送表示用のアプリケーションを終了させるまで繰り返す。
【００３６】
上記実施の形態１〜３では、他局番組を選局したときに自局番組の表示と他局番組の表示位置を入れ替えるようにしたが、自局番組表示部３で表示中の自局番組も他局番組の１つとして常に他局番組表示部４に表示するようにしてもよい。
【００３７】
また、上記実施の形態１〜３では、選択するデバイスとしてタッチパネル６を用いて説明したが、マウスポインタのようなポインタと確定操作とを組み合わせて用いてもよく、各サムネイル画面を取り囲むカーソルと確定操作とを組み合わせて用いてもよい。
この場合、上記実施の形態１及び２では、ポインタやカーソルで指定している間は指定している画面に対応する放送チャンネルのテレビ放送を受信して表示し、ユーザの確定操作に応じて自局番組表示部３に表示していたテレビ放送と切り替えるようにしてもよい。また、この場合、ポインタがどの他局番組も指定しない位置に移動したら、再度、他局番組を順次表示するようにしてもよい。
【００３８】
さらに、消費電力を低減のために、上記実施の形態１〜３で説明した他局番組の表示は筐体１及び筐体２を開いているときのみ動作させ、筐体１及び筐体２を閉じているときには他局用チューナー９及び他局番組表示部６を停止させ、自局番組表示部３による自局番組のみを表示するようにしてもよい。
【００３９】
また、上記実施の形態１〜３では、自局用チューナー８と他局用チューナー９を搭載しているが、コスト削減や携帯端末の小型化のために自局用チューナーと他局用のチューナーとを共通にして、筐体１及び２を閉じているときにはチューナーを自局用として使用し、筐体１及び筐体２を開いたときにはチューナーを他局用として使用するようにしてもよい。この場合、筐体１及び筐体２を開いたときには、自局番組表示部３の動画表示を停止し静止画として表示させ、他局番組表示部４の他局番組の表示を開始するようにする。
【００４０】
上記実施の形態１〜３では、携帯端末をスライド構造としたが、自局番組と他局番組とをそれぞれ表示可能な表示部を２つ搭載した携帯端末であれば、どのようなものであってもよい。
【図面の簡単な説明】
【００４１】
【図１】実施の形態１〜３に係る携帯端末の動作を示す概略図である。
【図２】実施の形態１〜３に係る携帯端末のブロック構成図である。
【図３】実施の形態１〜３に係る携帯端末の他局番組表示部４に表示されている他局番組を自局番組として自局番組表示部３に表示するときの動作を示すフローチャートである。
【図４】実施の形態１に係る携帯端末の他局番組表示の動作を示すフローチャートである。
【図５】実施の形態１〜３に係る他局番組表示部４に表示される他局番組の表示画面遷移を示す図である。
【図６】実施の形態２に係る携帯端末の他局番組表示の動作を示すフローチャートである。
【図７】実施の形態３に係る携帯端末の他局番組表示の動作を示すフローチャートである。
【符号の説明】
【００４２】
１  筐体
２  筐体
３  自局番組表示部
４  他局番組表示部
５  操作部
６  タッチパネル
７  制御部
８  自局用チューナー
９  他局用チューナー
１０  チューナー切替制御部
１１  局情報記憶部
【図１】
2008079086.tif 000003
【図２】
2008079086.tif 000004
【図３】
2008079086.tif 000005
【図４】
2008079086.tif 000006
【図５】
2008079086.tif 000007
【図６】
2008079086.tif 000008
【図７】
2008079086.tif 000009